(57)【特許請求の範囲】
【請求項１】
過大電流に対する回路保護の為に、電気回路に挿入されるヒュージブルリンクであって、
並設された複数本の導体を絶縁被覆してなるフラット電線における絶縁被覆の一部を皮むきして露出させた前記導体に、断面積減少部をプレス成形することによって、過大電流によって溶断する可溶部を形成したことを特徴とするヒュージブルリンク。
【発明の詳細な説明】
【０００１】
【発明の属する技術分野】
本発明はヒュージブルリンクに関し、詳しくは、過大電流に対する回路保護の為に、電気回路に挿入されるヒュージブルリンクに関するものである。
【０００２】
【従来の技術】
図５は、過大電流に対する回路保護の為に、電気回路に挿入されるヒュージブルリンクの従来例を示したものである。
このヒュージブルリンク１は、被覆電線３の両端にＬＡ端子４，５を圧着接続した形態のものであり、これらＬＡ端子４，５を介して保護対象となる電気回路の途中に接続される。
そして、この被覆電線３の導体自体が、過大電流によって溶断する可溶部として機能させられる。
【０００３】
一方、最近では、互いに平行に配置された複数本の導体を絶縁被覆してなるフラット電線が、電気機器等に接続されて回路体を構成することにより、狭い箇所での配索を可能にすると共に、可撓性を有する特性から可動部位に使用できるものとして、自動車の電装部品を繋ぐワイヤハーネスや電算機などの各種機器類に多用されている。
【０００４】
【発明が解決しようとする課題】
ところが、上述の如き従来のヒュージブルリンク１は、被覆電線３の導体の断面積や材料自体で、定格電流（導体が溶断して過電流を遮断する電流値）が決まってしまう。
その為、定格電流の異なるヒュージブルリンクを製造するには、予め導体径や材質の異なる複数種の被覆電線を用意しておかねばならず、定格電流の異なるヒュージブルリンクを揃えることが容易でないという問題があった。
【０００５】
また、上述の如きフラット電線は、断面積や材質の同じ複数本の導体が並設されており、回路毎に異なる定格電流を得ることができない。
そこで、別途、被覆電線やカートリッジ式のヒュージブルリンクを設けなければならず、コストアップを招くという問題があった。
【０００６】
従って、本発明の目的は上記課題を解消することに係り、使用するフラット電線を変更せずとも定格電流の異なる複数種のヒュージブルリンクを容易に揃えることができる安価なヒュージブルリンクを提供することにある。
【０００７】
【課題を解決するための手段】
本発明の上記目的は、過大電流に対する回路保護の為に、電気回路に挿入されるヒュージブルリンクであって、
並設された複数本の導体を絶縁被覆してなるフラット電線における絶縁被覆の一部を皮むきして露出させた前記導体に、断面積減少部をプレス成形することによって、過大電流によって溶断する可溶部を形成したことを特徴とするヒュージブルリンクにより達成される。
【０００８】
上記構成によれば、フラット電線における導体上に、プレス成形によって断面積減少部を形成することにより、容易に可溶部を設けることができる。
そこで、プレス成形時の力加減によって、断面積減少部の断面積を調整することで、使用するフラット電線を変更せずとも異なる定格電流を備えた多種のヒュージブルリンクを得ることができる。
又、フラット電線の各導体毎に、異なる定格電流を備えたヒュージブルリンクを得ることも容易である。
【０００９】
【発明の実施の形態】
以下、添付図面に基づいて本発明の一実施形態に係るヒュージブルリンクを詳細に説明する。
図１は、本発明の第１実施形態に係るヒュージブルリンクを示した斜視図である。
【００１０】
本第１実施形態のヒュージブルリンク１１は、図１に示したように、過大電流に対する回路保護の為に、電気機器２１の電気回路に挿入されるものである。
前記ヒュージブルリンク１１は、並設された複数本（本実施形態においては、３本）の導体１３ａ，１３ｂ，１３ｃを絶縁樹脂１５で絶縁被覆してなるフラット電線１７から成り、絶縁被覆の一部を皮むきして露出させた導体１３ａ，１３ｂ，１３ｃに、断面積減少部１４ａ，１４ｂ，１４ｃをプレス成形することによって、過大電流によって溶断する可溶部１４を形成している。
【００１１】
尚、絶縁被覆の一部が皮むきされて前記導体１３ａ，１３ｂ，１３ｃが露出した導体露出部１２は、絶縁テープや絶縁ハウジング等の絶縁部材２０によって適宜覆われる。
そして、前記ヒュージブルリンク１１の一端部は、前記電気機器２１のヒューズ接続部２５に接続される。前記ヒューズ接続部２５は、電気機器２１に形成された収容溝２６ａ，２６ｂにそれぞれ設けられた圧接刃２５ａ，２５ｂから成る。
【００１２】
そこで、長手方向に沿って絶縁樹脂１５を引き裂いたヒュージブルリンク１１の接続端部１７ａ，１７ｂ，１７ｃが、前記収容溝２６ａ，２６ｂ内に収容されると共に前記２５ａ，２５ｂに圧接接続され、電気機器２１と電気的に接続される。勿論、本発明のヒュージブルリンクにおける電線接続構造は、上述した本実施形態の構成に限定されるものではなく、フラット電線用コネクタ等の他の電線接続構造を採り得ることは言うまでもない。
【００１３】
次に、図２を参照しながら上記ヒュージブルリンク１１の製造工程を説明する。
先ず、図２（ａ）に示したように、並設された複数本の導体１３ａ，１３ｂ，１３ｃを絶縁樹脂１５で絶縁被覆したフラット電線１７を用意する。
【００１４】
そして、図２（ｂ）に示したように、前記フラット電線１７の絶縁被覆の一部を皮むきして導体１３ａ，１３ｂ，１３ｃを露出させ、導体露出部１２を形成する。
次に、前記導体露出部１２が形成されたフラット電線１７を図示しないプレス成形機にセットし、図２（ｃ）に示したように、前記導体露出部１２の導体１３ａ，１３ｂ，１３ｃの上部を断面略半円形に潰し、それぞれ断面積減少部１４ａ，１４ｂ，１４ｃをプレス成形する。
【００１５】
そこで、前記断面積減少部１４ａ，１４ｂ，１４ｃがプレス成形された導体１３ａ，１３ｂ，１３ｃには、過大電流によって溶断する可溶部１４が形成される。
尚、本実施形態における導体１３ａ，１３ｂ，１３ｃは、円形断面を有する単線であるが、矩形断面を有する単線や撚り線等の各種の導体を利用可能であることは勿論であり、導体の本数も本実施形態の３本に限定されない。
【００１６】
即ち、本実施形態のヒュージブルリンク１１によれば、フラット電線１７における導体１３ａ，１３ｂ，１３ｃ上に、プレス成形によって断面積減少部１４ａ，１４ｂ，１４ｃをそれぞれ形成することにより、容易に可溶部１４を設けることができる。
【００１７】
そこで、プレス成形時の力加減によって、断面積減少部１４ａ，１４ｂ，１４ｃの断面積を調整することで、使用するフラット電線１７を変更せずとも異なる定格電流を備えた多種のヒュージブルリンク１１を得ることができ、定格電流の異なる複数種のヒュージブルリンク１１を容易に揃えることができる。
従って、上記ヒュージブルリンク１１は、フラット電線１７とは別に、被覆電線やカートリッジ式のヒュージブルリンク等を設ける必要がなく、コストアップを抑制することができる。
【００１８】
尚、本発明のヒュージブルリンクにおける断面積減少部や可溶部等の構成は、上記実施形態の構成に限定されるものではなく、本発明の趣旨に基づいて種々の形態を採りうることは勿論である。
例えば、図３に示した本発明の第２実施形態に係るヒュージブルリンク３１は、並設された複数本の導体１３ａ，１３ｂ，１３ｃを絶縁樹脂１５で絶縁被覆してなるフラット電線１７から成り、絶縁被覆の一部を皮むきして導体１３ａ，１３ｂ，１３ｃを露出させ、導体露出部３２を形成した後に、断面積減少部３４ａ，３４ｂ，３４ｃをプレス成形することによって、過大電流によって溶断する可溶部３４を形成している。
【００１９】
即ち、本第２実施形態のヒュージブルリンク３１における前記断面積減少部３４ａ，３４ｂ，３４ｃは、プレス成形により前記導体露出部３２の導体１３ａ，１３ｂ，１３ｃの上下部を断面略矩形に潰すことで、可溶部３４が形成されている。
この様に、本発明における断面積減少部は、導体の直径や断面形状、材質など応じて、種々の断面形状に適宜形成される。
【００２０】
又、図４に示した本発明の第３実施形態に係るヒュージブルリンク４１は、並設された複数本の導体１３ａ，１３ｂ，１３ｃを絶縁樹脂１５で絶縁被覆してなるフラット電線１７から成り、絶縁被覆の一部を皮むきして導体１３ａのみを露出させ、導体露出部４２を形成した後に、断面積減少部１４ａをプレス成形することによって、過大電流によって溶断する可溶部４４を形成している。
【００２１】
この様に、本実施形態におけるヒュージブルリンク４１の可溶部４４は、複数本の導体１３ａ，１３ｂ，１３ｃから成るフラット電線１７の導体１３ａにのみ形成されている。
即ち、回路構成に応じて、フラット電線１７における導体１３ａ，１３ｂ，１３ｃの何れにも適宜選択的に可溶部４４を設けることができ、種々の電気回路に適応することができる。
【００２２】
更に、前記フラット電線１７の各導体１３ａ，１３ｂ，１３ｃ毎に、異なる断面積形状の断面積減少部をプレス成形することにより、各導体１３ａ，１３ｂ，１３ｃが異なる定格電流を備えたヒュージブルリンクを得ることも容易である。従って、用意しておくフラット電線自体は、単一種類だけで済ませても、定格電流及び回路構成の異なる種々のヒュージブルリンクを容易に揃えることができる。
【００２３】
【発明の効果】
以上に説明したように、本発明のヒュージブルリンクによれば、フラット電線における導体上に、プレス成形によって断面積減少部を形成することにより、容易に可溶部を設けることができる。
そこで、プレス成形時の力加減によって、断面積減少部の断面積を調整することで、使用するフラット電線を変更せずとも異なる定格電流を備えた多種のヒュージブルリンクを得ることができる。
又、フラット電線の各導体毎に、異なる定格電流を備えたヒュージブルリンクを得ることも容易である。
従って、使用するフラット電線を変更せずとも定格電流の異なる複数種のヒュージブルリンクを容易に揃えることができる安価なヒュージブルリンクを提供できる。
【図面の簡単な説明】
【図１】本発明の第１実施形態に係るヒュージブルリンクを示した斜視図である。
【図２】図１に示したヒュージブルリンクの製造工程を説明する為の斜視図である。
【図３】本発明の第２実施形態に係るヒュージブルリンクを示した斜視図である。
【図４】本発明の第３実施形態に係るヒュージブルリンクを示した斜視図である。
【図５】従来のヒュージブルリンクの斜視図である。
【符号の説明】
１１  ヒュージブルリンク
１２  導体露出部
１３ａ，１３ｂ，１３ｃ  導体
１４  可溶部
１４ａ，１４ｂ，１４ｃ  断面積減少部
１５  絶縁樹脂
１７  フラット電線
【図１】
0004080207.tif 000002
【図２】
0004080207.tif 000003
【図３】
0004080207.tif 000004
【図４】
0004080207.tif 000005
【図５】
0004080207.tif 000006